(57)【要約】【課題】載置台の何処に形象部品を置いてもその形象部品が何であるかを認識でき、レイアウトの制限を受けずユーザーの感性を反映させることができる箱庭玩具を提案すること。【解決手段】箱庭本体１と、該箱庭本体の載置板２に着脱自在に載置される形象部品３とから構成し、上記形象部品３には該形象部品３を特定する固体識別情報ＩＤを記憶するとともに記憶した固体識別情報ＩＤを発信する記憶媒体１５を設け、上記箱庭本体１には上記記憶媒体１５から発信された固体識別情報ＩＤを受信する受信手段６を上記箱庭本体１の載置板２の裏側全面に配置するとともに、該受信手段６が受信した個体識別情報ＩＤを認識し、認識した個体識別情報ＩＤに基づいて形象部品３に関連した音声を制御手段１０が音声発生手段７に出力させるようにした。【選択図】図１
2005034054.tif 000002
【特許請求の範囲】
【請求項１】
箱庭本体と、該箱庭本体の上面に設けられた載置板に着脱自在に載置される形象部品とから構成され、以下の要件を備えることを特徴とする箱庭玩具。
（イ）上記形象部品には該形象部品を特定する固体識別情報を記憶するとともに記憶した固体識別情報を発信する記憶媒体が設けられていること
（ロ）上記箱庭本体には上記記憶媒体から発信された固体識別情報を受信する受信手段と、該受信手段が受信した個体識別情報を認識し、認識した個体識別情報に基づいて形象部品に関連した音声を音声発生手段に出力させる制御手段を備えたこと
（ハ）上記受信手段は上記箱庭本体の載置板の裏側全面に配置されていること
【請求項２】
上記形象部品には該形象部品に関連した動作をする動作機構を備えた、請求項１記載の箱庭玩具。
【発明の詳細な説明】
【技術分野】
【０００１】
本発明は、箱庭玩具、詳しくは箱庭本体の載置板に形象部品を載置すると、載置した形象部品を認識して形象部品に関連した音声を発生する箱庭玩具に関するものである。
【背景技術】
【０００２】
従来、台の上に形象部品を載せると、載せた形象部品に関する音声を出力する玩具が提案されている（例えば、特許文献１）。この玩具は、食器容器の置き台で、置き台の上面には底部形状の異なる容器を嵌め合わせることができる凹部を形成し、この凹部にはそれぞれスイッチを配置し、容器を凹部に嵌め込むとスイッチが作動し、容器に収容されている内容物を音声で知らせるようになっているものである。
【特許文献１】実開昭６２−８５２７４号公報
【発明の開示】
【発明が解決しようとする課題】
【０００３】
本発明が解決しようとする問題点は、上述の玩具は置き台の上に容器を載せると、その容器に関連した音声を出力することはできるが、容器を載せる場所が限定されているもので自由にレイアウトを設定することができない問題があった。
【０００４】
本発明は上記問題点を解決するために、載置台の何処に形象部品を置いてもその形象部品が何であるかを認識でき、レイアウトの制限を受けずユーザーの感性を反映させることができる箱庭玩具を提案することを課題とする。
【課題を解決するための手段】
【０００５】
本発明に係る箱庭玩具は、箱庭本体と、該箱庭本体の上面に設けられた載置板に着脱自在に載置される形象部品とから構成され、以下の要件を備えることを特徴とする。
（イ）上記形象部品には該形象部品を特定する固体識別情報を記憶するとともに記憶した固体識別情報を発信する記憶媒体が設けられていること
（（ロ）上記箱庭本体には上記記憶媒体から発信された固体識別情報を受信する受信手段と、該受信手段が受信した個体識別情報を認識し、認識した個体識別情報に基づいて形象部品に関連した音声を音声発生手段に出力させる制御手段を備えたこと
（ハ）上記受信手段は上記箱庭本体の載置板の裏側全面に配置されていること
【０００６】
なお、上記形象部品には該形象部品に関連した動作をする動作機構を備え、箱庭本体から出力される音声だけではなく形象玩具自体が動作するようにしてもよい。
【発明の効果】
【０００７】
請求項１の発明によれば、箱庭本体の載置板上の何処に形象部品を置いてもその形象部品が何であるかを認識でき、形象部品の置く場所が限定されないので自由なレイアウトで形象部品を置くことができユーザーの感性を反映させることができる箱庭玩具を実現することができる。
【０００８】
請求項２の発明によれば、上記形象部品には該形象部品に関連した動作をする動作機構を備え、箱庭本体から出力される音声と、形象部品自身の動作とで聴覚と視覚との相乗的な効果を期待することができる。
【発明を実施するための最良の形態】
【０００９】
箱庭本体と、該箱庭本体の載置板に着脱自在に載置される形象部品とから構成し、上記形象部品には該形象部品を特定する固体識別情報を記憶するとともに記憶した固体識別情報を発信する記憶媒体を設け、上記箱庭本体には上記記憶媒体から発信された固体識別情報を受信する受信手段を上記箱庭本体の載置板の裏側全面に配置するとともに、該受信手段が受信した個体識別情報を認識し、認識した個体識別情報に基づいて形象部品に関連した音声を制御手段が音声発生手段に出力させるようにした。
【実施例１】
【００１０】
図１は本発明に係る箱庭玩具の一例を示し、この箱庭玩具は箱庭本体１と、この箱庭本体１の載置板２上に載せる木に止まった鳥や、岩に乗ったカエル等の形象部品３とから構成されるもので、形象部品３を載置板２上の何処に置くか、その置く場所をユーザーが自由に設定できるようにしたものである。
【００１１】
箱庭本体１は盆栽の植木鉢を模して形成され、形象部品３を載置する載置板２は形象部品３を載置板２の何処にでも自由に置けるように平坦に形成されている。
【００１２】
箱庭本体１の前面には引き出し４が出し入れ自由に設けられ、取っ手５を持って引き出せば使用しない形象部品３などを収納することができるようになっており、載置板２の裏側全面には受信手段であるアンテナ６が張り巡らされている。さらに、右側面内側には音声発生手段であるスピーカ７が配置され、このスピーカ７に対応する位置にスリット８が形成され、スピーカ７の音が外部からよく聞き取れるようになっている。
【００１３】
箱庭本体１の内部には上記アンテナ６とスピーカ７とに加え、アンテナ６で受信した形象部品３固有の個体識別情報ＩＤを読み取り、読み取った個体識別情報ＩＤから形象部品３が何であるかを判断するとともに、箱庭本体１全体を制御する制御手段である無線タグリーダーＩＣ１０と、音声合成ＩＣ１１と、電源電池１２とが配置されている（図２参照）。
【００１４】
一方、形象部品３は、箱庭を形成する上で必要な様々な形態を成したもので、図３に示すように、カエルの乗った岩、鈴虫の乗った岩、鳥が止まった木の枝等の動作機構を備えていない第１の形象部品３ａと、シシオドシや竹薮のように動作する機構を備えた第２の形象部品３ｂとで構成されている。
【００１５】
第１の形象部品３ａは形象部品自体が音を出したり光ったりする動作を行なうものではなく、箱庭本体１の上に載せて視覚的に楽しむことができるようにリアルに形成されているもので、内部には形象部品３を特定するための個体識別情報ＩＤを記憶すると共に記憶した個体識別情報ＩＤを発信する記憶媒体１５が設けてある。この記憶媒体１５は公知の無線タグＩＣ１６とアンテナ１７で構成され同一基板上に一体に配置されているものであり、箱庭玩具１のアンテナ６から定期的に発信される電波で、アンテナ１７には電圧が誘起されその電圧で無線タグＩＣ１６に接続されたアンテナ１７から個体識別情報ＩＤが発信されるようになっている（図４（ａ）参照）。
【００１６】
形象物ａがカエルの場合はカエルの乗った岩の中に記憶媒体１５（無線タグＩＣ１６とアンテナ１７）が埋め込まれ、無線タグＩＣ１６にはカエルを定義する個体識別情報ＩＤが記憶されているので、載置板２に載せたときに箱庭本体１のスピーカ７からカエルの鳴声が出力されるようになっている。
【００１７】
形象物ａが鈴虫の場合は鈴虫の乗った岩の中に無線タグＩＣ１６が埋め込まれ、無線タグＩＣ１６には鈴虫を定義する個体識別情報ＩＤが記憶されているので、載置板２に載せたときに箱庭本体１のスピーカ７から鈴虫の鳴声が出力されるようになっている。
【００１８】
形象物ａが鳥の場合は木の枝の先に記憶媒体１５（無線タグＩＣ１６とアンテナ１７）が埋め込まれ、松ノ木を模した支持体１８の嵌合穴１８ａに木の枝１９の付け根部分に形成された嵌合突部１９ａを嵌め合わせることにより、支持体１８に木の枝１９を取り付けることができるようになっている。
【００１９】
この木の枝には既に鳥が固定され、無線タグＩＣ１６には鳥を定義する個体識別情報ＩＤが記憶されているので、鳥玩具が鶯であれば鶯の鳴声（例えば、「ホーホケキョ、ケキョ、ケキョ」等）、雀であれば雀の鳴声（例えば「チチチッチチチッ」等）が箱庭本体１のスピーカ７から出力されるようになっている。
【００２０】
また、第２の形象部品３ｂは上記個体識別情報ＩＤを記憶した記憶媒体１５に加え形象部品３自体を構成する部品が動いたり、音を出したりするための動作機構Ａを備えているものである。
【００２１】
第２の形象部品３ｂがシシオドシの場合は竹筒２２を上下に揺動させるためのプランジャー２３と、水を模して形成されたアクリル樹脂などの導光部材２４を発光させるためのＬＥＤ２５と、プランジャー２３に同期してシシオドシの音を出力するスピーカ２６と、電源電池２７と、電源スイッチ２８と、ＣＰＵを構成する音声合成ＩＣ２９とが配置され（図４（ｂ）参照）、電源スイッチ２８をＯＮして形象部品３ｂを載置板２に載せると、無線タグＩＣ１６の発信する個体識別情報ＩＤを受信した箱庭本体１は水の流れる音を出力し、形象部品３ａであるシシオドシはＬＥＤ２５を点灯するとともに、定期的にプランジャー２３を作動させて竹筒２２を揺動させるとともに、その揺動のタイミングに同期してシシオドシ特有の音（例えば「カターン」）をスピーカ２６から出力するように設定されている。
【００２２】
なお、図４（ｂ）において、符号３０は形象部品３ａの底面に配置され、形象部品３ａが箱庭本体１の載置板２上に置かれたことを検出するスイッチを示し、このスイッチ３０を押すことにより動作機構Ａは一定時間だけ動作するように設定されている。
【００２３】
第２の形象部品３ｂが竹薮の場合は、シシオドシと同様に竹３１を揺らすように揺動させるプランジャー２３と、プランジャー２３に同期して竹同士が触れる音を出力するスピーカ２６と、電源電池２７と、電源スイッチ２８と、ＣＰＵである音声合成ＩＣ２９とが配置され、電源スイッチ２８をＯＮして形象部品３ｂを載置板２に載せると、無線タグＩＣ１６の発信する個体識別情報ＩＤを受信した箱庭本体１は風の音を出力し、竹薮である第２の形象部品３ｂはプランジャー２３を作動させて竹３１を揺動させるとともに、その揺動のタイミングに同期して竹同士の接触する音（例えば「ザワザワ」）をスピーカ２６から出力するように設定されている。
【００２４】
上記構成の箱庭玩具によれば、図５に示すように、箱庭本体１の載置板２上にユーザーが好みの形象部品３を好きな場所に載せればよい。
【００２５】
例えば、カエルの載った岩からなる形象部品３を載置板２上に載せると、箱庭玩具１のアンテナ６から定期的に発信される電波で、岩の底面に配置されている無線タグＩＣ１６には電圧が誘起されその電圧で無線タグＩＣ１６から個体識別情報ＩＤが発信されるので、この個体識別情報ＩＤを読み取ったリーダーＩＣはユーザーが正しく作動することを確認できるように音声合成ＩＣにカエルの鳴声を出力させ、確認用の音声を出力した後は所定の間隔でカエルの鳴声を出力させる。
【００２６】
また、竹薮からなる形象部品３を載置板２に載せる場合は、電源スイッチをＯＮしてから載置板２に載せればよい。竹薮の基台の底面に配置されている無線タグから発信されたＩＤはリーダーＩＣで読み取られ、このＩＤを読み取ったリーダーＩＣはユーザーが正しく作動することを確認できるように音声合成ＩＣに竹薮を吹き抜ける風の音を出力させ、確認用の音声を出力した後は所定の間隔で風の音を出力させる。
【００２７】
なお、箱庭本体１のアンテナ６から定期的に発信される電波で、載置板２上に置かれた全ての形象部品３の無線タグＩＣ１６は固定識別情報ＩＤをほぼ同時に発信することになるが、既に受信されている個体識別情報ＩＤは認識済みなので、それぞれの形象部品３の組合せを管理したり、時間管理を行なったりして所定時間経過後に音声を出力し、初めて認識した個体識別情報ＩＤに関しては確認の意味を込めて載置時に音声を出力するようにプログラミングされている。
【００２８】
上述したように、箱庭本体の載置板の裏側全面にはアンテナが張り巡らされているので、載置板の何処に形象部品を置いても、その形象部品に配置されている記憶媒体に記憶されている個体識別情報を読み取ってその形象部品に関連した音声が出力されるので、形象部品の置く場所の制約を受けることがなく、ユーザーの感性を生かした形象部品の設置レイアウトを自由に設定でき、オリジナリティのある箱庭玩具を構築することができる。
【図面の簡単な説明】
【００２９】
【図１】本発明に係る箱庭玩具の一例を示す構成部品の斜視図
【図２】箱庭玩具の電気的構成を説明するブロック図
【図３】形象部品を説明する斜視図
【図４】（ａ）（ｂ）は第１の形象部品及び第２の形象部品の電気的構成を説明するブロック図
【図５】箱庭本体に形象部品を載置した状態を示す斜視図
【符号の説明】
【００３０】
１    箱庭本体
２    載置板
３    形象部品
３ａ    第１の形象部品
３ｂ    第２の形象部品
６    受信手段（アンテナ）
７    音声発生手段（スピーカ）
１０    制御手段（無線タグリーダーＩＣ）
１５    記憶媒体
ＩＤ    個体識別情報
【図１】
2005034054.tif 000003
【図２】
2005034054.tif 000004
【図３】
2005034054.tif 000005
【図４】
2005034054.tif 000006
【図５】
2005034054.tif 000007